(57)【要約】【課題】  安定した階調の画像とすることができる映像信号処理装置を提供する。【解決手段】  白１００％のテストパターンの信号レベルを描画ＩＣ３にて検出し、補正処理部３ｂにて、この検出したテストパターンの信号レベルと、Ａ／Ｄ変換部３ａにおける白１００％のＲＧＢ信号に対応する基準信号レベルとに基づいて、Ａ／Ｄ変換部３ａによって変換された映像信号の信号レベルを補正する。これにより、ＲＧＢ信号の信号レベルのとり得る電圧レベルの範囲は、一定の電圧レベルの範囲とすることができため、階段状のＲＧＢ信号に高周波ノイズ等が含まれる場合であっても、このＲＧＢ信号の電圧レベルが一定となる部分とビット閾値の電圧レベルとが極力重ならないようになる。その結果、デジタル変換後の映像信号のビットが著しく変動しなくなる。【選択図】        図２
2005101969.tif 000002
【特許請求の範囲】
【請求項１】
デジタル映像を生成するとともに、この生成したデジタル映像をアナログの映像信号に変換し、この変換した映像信号を出力する映像信号出力手段と、
前記映像信号出力手段から出力される映像信号をデジタル信号に変換するＡ／Ｄ変換手段と、
前記映像信号出力手段がデジタル映像の一部の領域に所定階調度のテストパターンを生成したときに、そのテストパターンに対応するアナログの映像信号を前記Ａ／Ｄ変換手段がデジタル信号に変換した際の信号レベルを検出する信号レベル検出手段と、
前記信号レベル検出手段によって検出される信号レベルと、前記Ａ／Ｄ変換手段において予め設定される前記所定階調度に対応する基準信号レベルとに基づいて、前記映像信号出力手段から出力される映像信号の信号レベルを補正する信号レベル補正手段とを備えることを特徴とする映像信号処理装置。
【請求項２】
前記Ａ／Ｄ変換手段の変換したデジタル信号に基づく映像を表示する表示手段を備え、
前記表示手段の表示領域は、ユーザから視認可能な可視表示領域と、前記可視表示領域の周囲に設けられ、前記ユーザから視認できない不可視表示領域とによって構成され、
前記映像信号出力手段は、前記テストパターンが前記不可視表示領域に表示されるように、前記テストパターンを含むデジタル映像を生成することを特徴とする請求項１記載の映像信号処理装置。
【請求項３】
前記信号レベル補正手段は、前記基準信号レベルに対する前記信号レベル検出手段の検出する信号レベルの比率を算出し、前記比率の逆数を前記映像信号出力手段から出力される映像信号の信号レベルに乗ずることで、前記信号レベルを補正することを特徴とする請求項１又は２記載の映像信号処理装置。
【請求項４】
前記信号レベル補正手段の算出した信号レベルの比率を記憶する記憶手段を備えることを特徴とする請求項３記載の映像信号処理装置。
【請求項５】
前記映像信号出力手段は、所定時間に渡って前記テストパターンを含むデジタル映像を生成し、
前記信号レベル補正手段は、前記信号レベル検出手段が前記所定時間内に検出した信号レベルの平均値から前記比率を算出することを特徴とする請求項３又は４記載の映像信号処理装置。
【請求項６】
前記映像信号出力手段は、車両に搭載されるナビゲーション装置、及びカメラの少なくとも一方であることを特徴とする請求項１〜５のいずれか１項に記載の映像信号処理装置。
【請求項７】
前記映像信号出力手段は、所定の動作状態となったことを条件として、前記テストパターンを含むデジタル映像を生成することを特徴とする請求項６記載の映像信号処理装置。
【請求項８】
前記映像信号出力手段は、動作する際に少なくとも１回は前記テストパターンが生成されるように前記所定の動作状態を設定することを特徴とする請求項７記載の映像信号処理装置。
【請求項９】
前記映像信号出力手段は、前記所定の動作状態として、目的地を設定する目的地設定機能の実行状態、及び前記車両の周囲を撮影する撮影機能の実行状態の少なくとも一方を設定することを特徴とする請求項８記載の映像信号処理装置。
【発明の詳細な説明】
【技術分野】
【０００１】
本発明は、映像信号処理装置に関するものである。
【背景技術】
【０００２】
従来、階調数の少ないディスプレイの画質を向上させることを目的とした映像信号処理方法が提案されている（例えば、特許文献１参照。）。この特許文献１に開示されている映像信号処理方法によれば、例えば、デジタル変換後の入力映像信号における分布状態を所定の階調領域毎に検出し、各階調領域の分布状態のうち、所定基準値を越えている階調領域に対応するデジタル変換後の信号をディスプレイの階調数に必要なビット数に変換する。これにより、従来のように、単に下位ビットを外すのではなく、ディスプレイの階調数に合わせつつ、入力映像信号の分布状態に応じたデジタル信号とすることができる。
【特許文献１】特開平６−３３２３９８号公報
【発明の開示】
【発明が解決しようとする課題】
【０００３】
例えば、外部装置において生成されたデジタル映像がアナログ信号に変換され、この変換されたアナログ信号を外部装置から入力する場合、この入力される映像信号は、デジタル映像をアナログ信号に変換したものであるため、例えば、図９（ａ）に示すように、直線的な映像信号ｓａではなく、階段状の映像信号ｓｄ１となる。例えば、５ビットのデジタル映像がアナログ信号に変換される場合、その変換後の映像信号ｓｄ１は、３２ステップの電圧変化をする。
【０００４】
このような階段状の映像信号ｓｄ１を所定ビット数のデジタル信号に変換する場合、図９（ａ）に示すように、所定ビット数に応じたビット閾値でサンプリングされるが、このビット閾値の電圧レベルと映像信号ｓｄ１の入力電圧が一定となる電圧レベルとが重なる場合、デジタル変換後の映像信号が不連続に変化するものとなる。
【０００５】
例えば、外部装置に供給される電源電圧の変動等が原因で、同図（ａ）に示すような入力電圧のとり得る範囲が映像信号ｓｄ１と異なる映像信号ｓｄ２となることがあり、このような映像信号ｓｄ２の場合、一定となる電圧レベルが上述したビット閾値レベルとが重なることがある。
【０００６】
さらに、図９（ｂ）に示すように、上述した映像信号ｓｄ２に高周波ノイズ等が含まれる場合、映像信号ｓｄ２がビット閾値レベルを跨ぐようになり、このようなビット閾値レベルを跨ぐ映像信号ｓｄ２をデジタル変換すると、変換後のデジタル信号は、ビットが著しく変動したものとなり、その結果、階調の不安定な画像となる。
【０００７】
本発明は、かかる問題を鑑みてなされたもので、階調の安定した画像とすることができる映像信号処理装置を提供することを目的とする。
【課題を解決するための手段】
【０００８】
請求項１に記載の映像信号処理装置は、デジタル映像を生成するとともに、この生成したデジタル映像をアナログの映像信号に変換し、この変換した映像信号を出力する映像信号出力手段と、映像信号出力手段から出力される映像信号をデジタル信号に変換するＡ／Ｄ変換手段と、映像信号出力手段がデジタル映像の一部の領域に所定階調度のテストパターンを生成したときに、そのテストパターンに対応するアナログの映像信号をＡ／Ｄ変換手段がデジタル信号に変換した際の信号レベルを検出する信号レベル検出手段と、信号レベル検出手段によって検出される信号レベルと、Ａ／Ｄ変換手段において予め設定される所定階調度に対応する基準信号レベルとに基づいて、映像信号出力手段から出力される映像信号の信号レベルを補正する信号レベル補正手段とを備えることを特徴とする。
【０００９】
これにより、テストパターンの信号レベルとＡ／Ｄ変換手段における基準信号レベルとの信号レベルにギャップがある場合でも、そのギャップの大きさに応じた補正を映像信号出力手段から出力される映像信号に施すことで、映像信号出力手段から出力される映像信号のとり得る信号レベルの範囲を一定の範囲とすることができる。そのため、映像信号の一定となる電圧レベルとビット閾値レベルとが極力重ならないようになり、階段状の映像信号に高周波ノイズ等が含まれる場合であっても、デジタル変換後のデジタル信号のビットが著しく変動しなくなる。
【００１０】
請求項２に記載の映像信号処理装置では、Ａ／Ｄ変換手段の変換したデジタル信号に基づく映像を表示する表示手段を備え、表示手段の表示領域は、ユーザから視認可能な可視表示領域と、可視表示領域の周囲に設けられ、ユーザから視認できない不可視表示領域とによって構成され、映像信号出力手段は、テストパターンが不可視表示領域に表示されるように、テストパターンを含むデジタル映像を生成することを特徴とする。
【００１１】
一般に、表示手段の表示可能な領域は、ユーザに提供すべき映像を表示する領域（可視表示領域）の周囲に、このユーザに提供すべき映像の位置を調整するための領域（不可視表示領域）が設けられ、この不可視表示領域は、表示手段の保護カバー等によってユーザから視認できないようになっている。本発明では、ユーザに提供すべき映像の位置を調整するための不可視表示領域に、階調度の既知な映像を表示する。
【００１２】
これにより、通常の機能に応じた映像を可視表示領域に表示しながら、不可視表示領域に表示されるテストパターンの信号レベルを検出することができる。なお、この不可視表示領域の全ての領域にテストパターンを表示する必要はなく、例えば、不可視表示領域の２ラインのみ表示してもよい。
【００１３】
請求項３に記載の映像信号処理装置によれば、信号レベル補正手段は、基準信号レベルに対する信号レベル検出手段の検出する信号レベルの比率を算出し、比率の逆数を映像信号出力手段から出力される映像信号の信号レベルに乗ずることで、信号レベルを補正することを特徴とする。これにより、算出された比率によって、映像信号出力手段から出力される映像信号のとり得る信号レベルの範囲を一定の範囲とすることができる。
【００１４】
請求項４に記載の映像信号処理装置では、信号レベル補正手段の算出した信号レベルの比率を記憶する記憶手段を備えることを特徴とする。これにより、次回以降、テストパターンを映像信号出力手段において生成する必要がなくなる。
【００１５】
請求項５に記載の映像信号処理装置では、映像信号出力手段は、所定時間に渡ってテストパターンを含むデジタル映像を生成し、信号レベル補正手段は、信号レベル検出手段が所定時間内に検出した信号レベルの平均値から比率を算出することを特徴とする。
【００１６】
例えば、表示手段に表示される映像が安定するまでテストパターンを生成することで、信号レベルの安定した状態での基準信号レベルに対する信号レベル検出手段の検出する信号レベルの比率を算出することができる。また、機器において、その時間以降にテストパターンを生成する必要がなくなる。
【００１７】
なお、所定時間内に検出した信号レベルの平均値が想定される電圧レベルから大きく異なる場合には、その算出した信号レベルの平均値を無効にしてもよい。これにより、誤った信号レベルの補正を防止することができる。
【００１８】
請求項６に記載の映像信号処理装置では、映像信号出力手段は、車両に搭載されるナビゲーション装置、及びカメラの少なくとも一方であることを特徴とする。これにより、ナビゲーション装置やカメラにおいて生成されるテストパターンが出力される。
【００１９】
請求項７に記載の映像信号処理装置では、映像信号出力手段は、所定の動作状態となったことを条件として、テストパターンを含むデジタル映像を生成することを特徴とする。これにより、所定の動作状態の場合にテストパターンを含むデジタル映像を生成することができる。なお、請求項８に記載のように、動作する際に少なくとも１回はテストパターンが生成されるように所定の動作状態を設定することで、テストパターンを含むデジタル映像を確実に生成することができる。
【００２０】
請求項９に記載の映像信号処理装置では、映像信号出力手段は、所定の動作状態として、目的地を設定する目的地設定機能の実行状態、及び車両の周囲を撮影する撮影機能の実行状態の少なくとも一方を設定することを特徴とする。これにより、目的地設定機能や撮影機能が実行される際にテストパターンを含むデジタル映像が生成されるようになる。
【００２１】
なお、ナビゲーション装置やカメラのように、表示コンテンツの異なる機器からの映像信号をＡ／Ｄ変換する場合、表示コンテンツの切り替えに伴って映像信号出力手段から出力される映像信号の信号レベルを補正するとよい。
【００２２】
これにより、表示コンテンツの切り替えに伴って映像信号出力手段から出力される映像信号のとり得る信号レベルの範囲が異なる場合でも、その信号レベルを一定の範囲に補正することができる。
【発明を実施するための最良の形態】
【００２３】
以下、本発明の実施の形態における映像信号処理装置に関して、図面に基づいて説明する。なお、本実施形態では、本発明の映像信号処理装置をディスプレイの一機能として適用した例について説明する。
【００２４】
図１は、本実施形態に係わるディスプレイ、及び周辺機器の概略構成を示すブロック図である。同図に示すように、ディスプレイ１は、ナビゲーション装置７、及びカメラ８から出力される映像信号に所定の信号処理を施し、この信号処理を施した映像信号をＬＣＤドライバ５を介して所定階調数（例えば、６４階調等）のＬＣＤ（Liquid Crystal Display）６に出力し、ＬＣＤ６にて映像信号に基づく動画像を表示させるものである。
【００２５】
映像Ｉ／Ｆ２は、ナビゲーション装置７、あるいは、カメラ８から出力される映像信号（ＲＧＢ信号）を入力し、このＲＧＢ信号の振幅を一定の割合で増幅して描画ＩＣ３へ出力する。描画ＩＣ３は、マイコン４、及びＬＣＤドライバ５と接続され、映像Ｉ／Ｆ２からのＲＧＢ信号を入力し、所定の信号処理を実行し、信号処理された映像信号をＬＣＤドライバ５へ出力する。
【００２６】
マイコン４は、マイクロコンピュータとして構成されるものであり、その内部には、いずれも周知のＣＰＵ、ＲＯＭ、ＲＡＭ、Ｉ／Ｏ、及びこれらの構成を接続するバスラインが備えられている。ＬＣＤドライバ５は、描画ＩＣ３からの映像信号を受けてＬＣＤ６に出力するもので、この映像信号に基づく動画像がＬＣＤ６に表示される。
【００２７】
ナビゲーション装置７は、自動車等の車両に搭載されるもので、周知のごとく、車両の現在位置周辺の地図を表示する地図表示機能、目的地を設定する目的地設定機能、目的地までの経路を誘導する経路誘導機能等の各種機能を実行する。なお、ナビゲーション装置７では、これら各種機能に応じて生成されるデジタル映像をＲＧＢ信号に変換し、この変換したＲＧＢ信号をディスプレイ１に出力する。
【００２８】
このように、ナビゲーション装置７では、デジタル映像をアナログのＲＧＢ信号に変換したうえで、この変換したＲＧＢ信号を出力する。従って、このＲＧＢ信号は、例えば、図９（ａ）に示すように、直線的な映像信号ｓａではなく、階段状の映像信号ｓｄ１となる。なお、例えば、５ビットのデジタル映像がアナログのＲＧＢ信号に変換される場合、その変換後のＲＧＢ信号は、３２ステップの電圧変化をする。
【００２９】
カメラ８は、ナビゲーション装置７と同様に、自動車等の車両に搭載され、車両周辺の風景を撮影するために用いられる。このカメラ８によって撮像されたＲＧＢ信号は、ディスプレイ１に出力される。
【００３０】
次に、描画ＩＣ３の内部構成の概略を図２を用いて説明する。同図に示すように、描画ＩＣ３は、Ａ／Ｄ変換部３ａ、補正処理部３ｂ、及び信号処理部３ｃによって構成される。Ａ／Ｄ変換部３ａは、ナビゲーション装置７やカメラ８からのＲＧＢ信号を所定ビット数（例えば、８ビット（２５６階調））の映像信号に変換する。
【００３１】
すなわち、図９（ａ）に示すように、所定ビット数に応じたビット閾値でＲＧＢ信号をサンプリングすることにより、所定ビット数のビット列で示される映像信号に変換する。なお、映像Ｉ／Ｆ２から出力されるＲＧＢ信号の垂直同期信号（ＶＤ）、及び水平同期信号（ＨＤ）は、マイコン４に出力される。
【００３２】
補正処理部３ｂは、Ａ／Ｄ変換部３ａにおいてデジタル変換された映像信号の信号レベルを補正するもので、マイコン４において算出される補正値を用いて映像信号の信号レベルを補正する。信号処理部３ｃは、補正処理部３ｂにて補正されたデジタル映像信号に基づいて、ＬＣＤ６に表示すべき動画像の縮尺を変更したり、他の画像との合成画像を生成したりする処理を行う。
【００３３】
なお、上述したように、ナビゲーション装置７から出力されるＲＧＢ信号は、階段状の映像信号となるが、このような階段状の映像信号を所定ビット数のデジタル信号に変換する場合、ビット閾値の電圧レベルと映像信号の入力電圧が一定となる電圧レベルとが重なることがある。そのため、デジタル変換後の映像信号が不連続に変化するものとなる。
【００３４】
例えば、ナビゲーション装置７やカメラ８に供給される電源電圧の変動等が原因で、図９（ａ）に示すような入力電圧のとり得る範囲が映像信号ｓｄ１と異なる映像信号ｓｄ２となることがあり、このような映像信号ｓｄ２の場合、一定となる電圧レベルが上述したビット閾値の電圧レベルとが重なることがある。
【００３５】
さらに、ナビゲーション装置７、あるいは、カメラ８と映像Ｉ／Ｆ２との間においてノイズが混入する場合、図９（ｂ）に示すように、上述した映像信号ｓｄ２に高周波ノイズ等が含まれ、このノイズの影響によって、映像信号ｓｄ２がビット閾値レベルを跨ぐようになる。このようなビット閾値レベルを跨ぐ映像信号ｓｄ２をデジタル変換した場合、変換後のデジタル信号は、ビットが著しく変動したものとなり、その結果、階調の不安定な画像となってしまう。
【００３６】
そこで、本実施形態のナビゲーション装置７では、目的地設定機能に応じた映像を表示する指示操作がユーザから出されたときに、この目的地設定機能に応じた映像の一部の領域に白１００％のテストパターンを含むデジタル映像を生成し、この生成したデジタル映像に対応するＲＧＢ信号を出力する。そして、本実施形態のディスプレイ１は、ＲＧＢ信号に含まれる白１００％のテストパターンの信号レベルを検出し、この検出した信号レベルと、Ａ／Ｄ変換部３ａにおいて予め設定される白１００％のＲＧＢ信号に対応する基準信号レベルとに基づいて、Ａ／Ｄ変換部３ａによって変換された映像信号の信号レベルを補正するための補正値を算出し、この補正値を用いてデジタル変換後の映像信号の信号レベルを補正する。
【００３７】
すなわち、図４に示すように、ユーザの操作によってナビゲーション装置７における目的地設定機能の実行開始を指示する操作がなされた場合、その目的地設定機能の目的地設定画面に白１００％のテストパターンを所定時間（例えば、約１秒程度）含めて出力し、この白１００％のテストパターンの信号レベルを検出する。
【００３８】
なお、白１００％のテストパターンを出力する時間は、ＬＣＤ６にて表示される映像が安定するまでの時間に基づいて設定するとよい。これにより、信号レベルの安定した状態での補正値を算出することができる。また、ナビゲーション装置７においても、所定時間以降に白１００％のテストパターンを含むデジタル映像を生成する必要がなくなる。
【００３９】
具体的には、図３に示すように、ＬＣＤ６の目的地設定画面を表示する機能表示領域６ａの上部に位置する補正表示領域６ｃの２ラインを用いて白１００％のテストパターンを表示する。一般に、ＬＣＤ６の表示可能な領域は、ユーザに提供すべき映像を表示する可視表示領域の周囲に、ユーザに提供すべき映像の表示位置を調整するための領域（不可視表示領域）が設けられ、この不可視表示領域は、保護カバー等によってユーザから視認できないようになっている。
【００４０】
本実施形態では、この不可視表示領域の一部である補正表示領域６ｃに白１００％のテストパターンを表示する。これにより、通常の機能に応じた映像を機能表示領域６ａに表示しながら、補正表示領域６ｃに表示される白１００％のテストパターンの信号レベルを検出することができる。なお、この補正表示領域６ｃの全てに白１００％のテストパターンを表示する必要はなく、例えば、補正表示領域６ｃの２ラインのみ白１００％のテストパターンを表示するとよい。
【００４１】
図５に、白１００％のテストパターンの信号レベルを検出する検出タイミングを示す。同図に示すように、垂直同期信号（ＶＤ）を検出してから水平同期信号（ＨＤ）のカウントを開始し、ＬＣＤ６の補正表示領域６ｃ内に位置するＨＤの１８ライン目（１８Ｈ）における映像信号（例えば、ＲＧＢ信号のＧ信号）の黒電圧レベルを検出する（１）。この検出した黒電圧レベルをマイコン４内部のＣＰＵのレジスタに記憶する。
【００４２】
次に、ＣＰＵレジスタに記憶させた黒電圧レベルを読み込み（２）、その後白電圧レベルを検出してＡ／Ｄ変換を開始する（３）。そして、Ａ／Ｄ変換された白電圧レベルと黒電圧レベルとの差分（以後、残差電圧レベルＶｘと呼ぶ）を算出し、この残差電圧レベルＶｘをマイコン４内部のＲＡＭに記憶する。なお、この残差電圧レベルＶｘは、１ラインで２回取得する。また、１９ライン目（１９Ｈ）においても、上述した（１）〜（３）を繰り返し行う。
【００４３】
そして、ＶＤの検出回数が所定回数（白１００％のテストパターンが出力されている約１秒程度に対応する回数）に達した場合には、記憶した残差電圧レベルＶｘの平均値を算出し、Ａ／Ｄ変換部３ａにおける白１００％のＲＧＢ信号に対応する基準電圧レベルＶｒｅｆに対する残差電圧レベルＶｘの平均値の比率を算出する。なお、この残差電圧レベルＶｘの平均値が想定される電圧レベルから大きく異なる場合には、その算出した残差電圧レベルの平均値を無効にしてもよい。これにより、誤った補正を防止することができる。
【００４４】
そして、補正処理部３ｂにおいて、この比率の逆数となる補正値ＺをＡ／Ｄ変換部３ａから出力された映像信号に乗ずることで、映像信号の信号レベルを補正する。なお、算出した補正値ＺをＲＡＭ等に記憶しておくことで、次回以降、白１００％のテストパターンをナビゲーション装置７において生成する必要がなくなる。
【００４５】
以下、本実施形態におけるディスプレイ１における信号レベル補正処理について、図６〜図８に示すフローチャートを用いて説明する。図６に示すステップ（以下、Ｓと記す）１０では、ユーザの操作によって、目的地設定画面の表示指示があったか否かを判定する。ここで、肯定判定される場合にはＳ２０へ処理を進め、否定判定される場合には表示指示があるまで待機状態を保持する。
【００４６】
Ｓ２０では、ＶＤの検出回数をカウントするＶＤ＿ｃカウンタを初期化する。Ｓ３０では、ＶＤを検出したか否かを判定し、肯定判定される場合にはＳ４０へ処理を進め、否定判定される場合にはＶＤを検出するまで待機状態となる。Ｓ４０では、ＶＤ＿ｃカウンタをインクリメントし、Ｓ５０では、このＶＤ＿ｃカウンタが所定回数（白１００％のテストパターンが表示される約１秒程度に対応する回数）以上であるか否かを判定し、肯定判定される場合にはＳ１４０へ処理を移行し、否定判定される場合にはＳ６０へ処理を進める。
【００４７】
図７に示すＳ６０では、ＨＤのカウントを開始する。Ｓ７０では、ＨＤのカウントが１７Ｈに当たるか否かを判定し、肯定判定される場合には、Ｓ８０において黒電圧レベルを検出し、この検出した黒電圧レベルをマイコン４内部のＣＰＵのレジスタに記憶する。一方、否定判定される場合にはＳ９０へ処理を移行する。
【００４８】
Ｓ９０では、ＨＤのカウントが１８Ｈに当たるか否かを判定し、肯定判定される場合には、Ｓ１００において、レジスタに記憶した黒電圧レベルを読み出し、その後、白電圧レベルを検出して、この検出した白電圧レベルから黒電圧レベルを差し引いた残差電圧レベルＶｘを算出する。なお、この黒電圧レベルを読み出してから残差電圧レベルＶｘを算出する手順は、１８Ｈにて２回繰り返される。一方、否定判定される場合にはＳ１１０へ処理を移行する。
【００４９】
Ｓ１１０では、ＨＤのカウントが１９Ｈに当たるか否かを判定し、肯定判定される場合には、Ｓ１２０において、レジスタに記憶した黒電圧レベルを読み出し、その後、白電圧レベルを検出して、この検出した白電圧レベルから黒電圧レベルを差し引いた残差電圧レベルＶｘを算出する。なお、この黒電圧レベルを読み出してから残差電圧レベルＶｘを算出する手順は、１９Ｈにて２回繰り返される。一方、否定判定される場合にはＳ１３０へ処理を移行する。
【００５０】
Ｓ１３０では、ＨＤのカウントが２０Ｈに当たるか否かを判定し、肯定判定される場合にはＳ３０へ処理を移行し、否定判定される場合にはＳ６０へ処理を移行し、上述した処理を繰り返す。
【００５１】
図６のＳ５０に戻り、ＶＤ＿ｃカウンタが所定回数以上となった場合には、図８に示すＳ１４０において、残差電圧レベルＶｘの平均値を算出し、Ｓ１５０において、Ａ／Ｄ変換部３ａの基準電圧レベルＶｒｅｆを検出する。Ｓ１６０では、基準電圧レベルＶｒｅｆに対する残差電圧レベルＶｘの比率を算出し、この算出した比率の逆数となる補正値Ｚを算出する。そして、Ｓ１７０にて算出した補正値Ｚを記憶し、以後、Ａ／Ｄ変換部３ａによって変換された映像信号に補正値（Ｚ）を乗じて、映像信号の信号レベルを補正する。
【００５２】
このように、本実施形態のディスプレイ１は、ナビゲーション装置７から出力される映像信号に含まれる白１００％のテストパターンの信号レベルを検出し、この検出した信号レベルと、Ａ／Ｄ変換部３ａにおいて予め設定される白１００％のＲＧＢ信号に対応する基準信号レベルとに基づいて、Ａ／Ｄ変換部３ａによって変換された映像信号の信号レベルを補正するための補正値を算出し、この補正値を用いてデジタル変換後の映像信号の信号レベルを補正する。
【００５３】
これにより、ナビゲーション装置７やカメラ８に供給される電源電圧の変動等によってＲＧＢ信号の信号レベルのとり得る電圧レベルの範囲が変動しても、このＲＧＢ信号の信号レベルのとり得る電圧レベルの範囲を一定の範囲に保つことができる。そのため、ナビゲーション装置７から出力され階段状のＲＧＢ信号に高周波ノイズ等が含まれる場合であっても、このＲＧＢ信号の電圧レベルが一定となる部分とビット閾値の電圧レベルとが極力重ならないようになるため、デジタル変換後の映像信号のビットが著しく変動しなくなる。その結果、階調の安定した映像を表示することができる。
【００５４】
（変形例１）
本実施形態では、ナビゲーション装置７において、目的地設定機能が動作状態となることを条件として、テストパターンを含むデジタル映像を生成しているが、ナビゲーション装置７の他の機能において実行するものであってもよい。すなわち、ナビゲーション装置７が動作する際に、少なくとも１回はテストパターンが生成されるように、テストパターンを生成する際の機能を設定するとよい。これにより、ナビゲーション装置７が動作する際に、テストパターンを含むデジタル映像が確実に生成されるようになる。
【００５５】
（変形例２）
本実施形態では、ナビゲーション装置７から出力されるＲＧＢ信号に対する信号レベル補正処理の例を説明したが、カメラ８から出力されるＲＧＢ信号についても適用されることは言うまでもない。例えば、カメラ８において、車両の周囲を撮影する撮影機能が動作状態となることを条件として、テストパターンを含むデジタル映像を生成してもよい。
【００５６】
なお、ナビゲーション装置７やカメラ８等のように、表示コンテンツの異なる各種機器からの映像信号をＡ／Ｄ変換する場合、表示コンテンツの切り替えに応じて本実施形態の補正処理を実行するとよい。これにより、表示コンテンツの変更に応じた補正処理が可能となる。
【図面の簡単な説明】
【００５７】
【図１】本発明の実施形態に係わる、ディスプレイ１、及び周辺機器の概略構成を示すブロック図である。
【図２】本発明の実施形態に係わる、描画ＩＣ３の内部構成の概略を示すブロック図である。
【図３】本発明の実施形態に係わる、目的地設定機能における目的地設定画面を表示する機能表示領域６ａと補正表示領域６ｃを示すイメージ図である。
【図４】本発明の実施形態に係わる、ナビゲーション装置７から出力される白１００％の映像の出力タイミングを示すイメージ図である。
【図５】本発明の実施形態に係わる、白１００％時の信号レベルを検出するタイミングを示す図である。
【図６】本発明の実施形態に係わる、信号レベル補正処理における前半部分の流れを示すフローチャートである。
【図７】本発明の実施形態に係わる、信号レベル補正処理における残差電圧レベル（Ｖｘ）を算出するまでの流れを示すフローチャートである。
【図８】本発明の実施形態に係わる、信号レベル補正処理における後半部分の流れを示すフローチャートである。
【図９】（ａ）は、階段状の入力映像信号ｓｄ１、ｓｄ２を示す図であり、（ｂ）は、入力映像信号ｓｄ２がビット閾値の電圧レベルを跨いだ状態を示す図である。
【符号の説明】
【００５８】
１  ディスプレイ
３  描画ＩＣ
３ａ  Ａ／Ｄ変換部
３ｂ  補正処理部
３ｃ  信号処理部
４  マイコン
６  ＬＣＤ
７  ナビゲーション装置
８  ＣＣＤカメラ
【図１】
2005101969.tif 000003
【図２】
2005101969.tif 000004
【図３】
2005101969.tif 000005
【図４】
2005101969.tif 000006
【図５】
2005101969.tif 000007
【図６】
2005101969.tif 000008
【図７】
2005101969.tif 000009
【図８】
2005101969.tif 000010
【図９】
2005101969.tif 000011